(57)【要約】  【課題】  薬剤包接能が高い、シクロデキストリン誘導体の提供。  【解決手段】  シクロデキストリンと糖分子を結合させるスペーサーに芳香族基を有し、この糖分子結合型スペーサーを２分岐、シクロデキストリンに導入したシクロデキストリン誘導体では、アントラサイクリン系の制癌性抗生物質であるドキソルビシンを従来に見られない高い会合定数で、包接できることを明らかにした。生体内でアントラサイクリン系の医薬を強固に保持して輸送する機能を持ち併せた医薬輸送キャリアを開発の成功し、その簡便な製造法を確立した。  【選択図】なし【特許請求の範囲】
【請求項１】
下記式［1］で表される二本鎖糖分岐シクロデキストリン。
【化１】
2007063355.tif 000006
【請求項２】
下記式［2］で表される二本鎖糖分岐シクロデキストリン誘導体。
【化２】
2007063355.tif 000007
【請求項３】
4-ヒドロキシフェニル  ヘキソピラノシドを原料に用いることを特徴とする請求項１または２記載の二本鎖糖分岐シクロデキストリン誘導体の製造法。
【請求項４】
ヘプタキス-(2,3-ジ-O-ベンジル)-6B,6C,6E,6F,6G-ペンタ-O-ベンジル-β-シクロデキストリンを原料に用いることを特徴とする請求項１または２記載の二本鎖糖分岐シクロデキストリン誘導体の製造法。
【発明の詳細な説明】
【技術分野】
【０００１】
本発明は、標的医薬輸送システムの薬剤キャリアとして注目されている糖分岐シクロデキストリンに関するものある。詳しくは、4-ヒドロキシフェニル  ヘキソピラノシドのフェノール性水酸基を化学修飾した化合物と、ヘプタキス-(2,3-ジ-O-ベンジル)-6B,6C,6E,6F,6G-ペンタ-O-ベンジル-β-シクロデキストリンをカップリング縮合させた後に、糖水酸基の保護基を脱保護して得られる二本鎖糖分岐シクロデキストリン誘導体とその製造法に関するものである。
【背景技術】
【０００２】
糖分岐シクロデキストリンは、糖分子が持つ生体内のレクチンタンパク質に対する認識能とシクロデキストリンが持つ薬剤包接能とを併せ持つことから、標的医薬輸送システムとしての利用が期待されている。このような見地から、糖分岐シクロデキストリンを製造する方法が多数報告されるに至っている（例えば非特許文献１−4を参照）。糖分岐シクロデキストリンは、薬剤をシクロデキストリンの空洞内に取り込み目的とする細胞へ送ることから、薬剤をキャリアに結合させる必要がなく、また包接が可能な薬剤であれば、容易な薬剤調製を可能とする。反面、薬剤を非共有結合で輸送するために、輸送中に薬剤漏れの懸念がある。シクロデキストリンには元来、疎水性の薬剤分子を取り込む能力があるが、より効率性の優れた薬剤キャリア分子の開発には、薬剤の保持力が高い、薬剤に対して高い会合定数を持つシクロデキストリン誘導体の開発が必要である。しかし、このような機能を有するシクロデキストリン誘導体は、殆んど知られていないのが現状である。
【非特許文献１】T. Furuikeら、「Chemical and Enzymatic synthesis of Glycocluster Having Sialyl Lewis X Arrays Using β-Cyclodexytrin As a Key Scaffold Material」、Tetrahedron, 2005年, 61巻, 1737ページ.
【非特許文献２】R. Royら、「Synthesis of Persialylated β-Cyclodextrins」、Journal of Organic Chemistry, 2000年, 65巻, 8743ページ.
【非特許文献３】H. Abeら、「Structural Effects of Oligosaccharide-branched Cyclodextrins on The Dual Recognition Toward Lectin and Drug」、Journal of Inclusion Phenomena and Macrocyclic Chemistry, 2002年, 44巻, 39ページ.
【非特許文献４】T. Yamanoiら、「Synthesis of mono-Glucose-branched Cyclodextrins With a High Inclusion Ability For Doxorubicin And Their Efficient Glycosylation Using Mucor hiemalis Endo-β-N-acetylglucosaminidase」、Bioorganic & Medicinal Chemistry Letters, 2005年, 15巻, 1009ページ.
【発明の開示】
【発明が解決しようとする課題】
【０００３】
本発明の目的は、シクロデキストリンの薬剤の保持力を高くするために、薬剤に対して高い会合定数を持つ糖分岐シクロデキストリン誘導体を提供することである。
【課題を解決するための手段】
【０００４】
薬剤に対して高い会合定数を持つ糖分岐シクロデキストリン誘導体について鋭意研究をした結果、シクロデキストリンと糖分子を結合させるスペーサーに芳香族基を有し、この糖分子結合型スペーサーを２分岐、シクロデキストリンに導入したシクロデキストリン誘導体では、アントラサイクリン系の制癌性抗生物質であるドキソルビシンを1.4 x 108［M-1］という従来知られていない高い会合定数で包接することが明らかになった。この二本鎖糖分岐シクロデキストリンは、このようなスペーサーを持たないシクロデキストリンと比較して、従来知られていない程の高い会合定数を持ち、医薬輸送キャリアとしての有効性が確認され、本発明に到達した。
すなわち、本発明は下記式［1］で表される、シクロデキストリンに結合した２本鎖のスペーサーの末端に糖分子を有し、スペーサー中に芳香族基を持つことを特徴とする二本鎖糖分岐シクロデキストリン誘導体とその製造法に関するものである。
【化３】
2007063355.tif 000002
【発明の効果】
【０００５】
アントラキノン系の薬剤は、ドキソルビシン、イダマイシン、ダウノマイシンやラビルビシン等が知られ、抗生物質や制癌剤や抗癌剤として作用する。本発明の二本鎖糖分岐シクロデキストリン誘導体は、これらのアントラサイクリン系の薬剤に対する包接力が強く、標的医薬輸送システムの薬剤キャリアとしての利用が期待される。
【発明を実施するための最良の形態】
【０００６】
以下、本発明を詳細に説明する。
本発明は、アントラサイクリン系抗生物質を高い会合定数で包接し、医薬輸送キャリアとして有効な二本鎖糖分岐シクロデキストリン誘導体に関するものである。
【０００７】
本発明の二本鎖糖分岐シクロデキストリン誘導体[２]では、シクロデキストリンと分岐した糖分子とを繋ぐスペーサーに芳香族基が存在することで、シクロデキストリンの空洞内の疎水性が向上するとともに、さらにこの二つの芳香族基がアントラサイクリン系薬剤の芳香族部位を挟み込むようなスタッキング現象を起こし、強いパイ電子相互作用が生じることで、ドキソルビシンを高い会合定数で包接することができるものと推測される。すなわち、本発明の工夫は、シクロデキストリンと糖分子を繋ぐスペーサー部位に芳香族基を有する二本鎖糖分岐シクロデキストリン誘導体の創製にある。
【０００８】
次に、二本鎖糖分岐シクロデキストリン誘導体[１]及び [２]について説明する。β−シクロデキストリンと4-ヒドロキシフェニル  ヘキソピラノシドとを繋ぐメチレン鎖は、炭素数が１から８までのものを使用することができるが、好ましくは１から５までのものを使用する。また、４-ヒドロキシ-フェニル  ヘキソピラノシド誘導体としては、４-ヒドロキシ-フェニル Ｄ-グルコピラノシド（β体の慣用名、アルブチン）、４-ヒドロキシ-フェニル α-Ｄ-マンノピラノシド、４-ヒドロキシ-フェニル Ｄ-ガラクトピラノシド、４-ヒドロキシ-フェニル  Ｎ-アセチル-Ｄ-グルコサミニド等の周知のヘキソース結合型のものを使用することができる。ヘキソースとフェニル基との結合は、α及びβのいずれかの結合、あるいはα及びβが混在したグリコシド結合でも一向に構わない。
【０００９】
文献記載（非特許文献4）の方法と同じように、フェノール性水酸基をアリル化、ついで、ヒドロホウ素化反応によって、末端オレフィンをアルコールに変換、ヨウ素とトリフェニルホスフィンを用いて得られる,3,4,6−テトラ−O−ベンジル−p−(3−ヨードプロピル) −フェニル  ヘキソピラノシドとW. Wangらの文献記載の方法（Tetrahedron Asymmetry, 2001, 12, p.517.）、すなわち、パーベンジル-β-シクロデキストリンをジイソブチルアルミニウムハイドライドを用いて還元的な反応で得られるヘプタキス-(2,3-ジ-O-ベンジル)-6B,6C,6E,6F,6G-ペンタ-O-ベンジル-β-シクロデキストリンとのカップリング反応については、ジメチルホルムアミド中、水酸化カリウムを用いる水酸基のアルキル化反応を利用する。2,3,4,6-テトラ-O-ベンジル-p-(3-ヨードプロピル)-フェニル  ヘキソピラノシドは、ヘプタキス-(2,3-ジ-O-ベンジル)-6B,6C,6E,6F,6G-ペンタ-O-ベンジル-β-シクロデキストリンに対しての使用量については特に制限はないが、好ましくは２から５当量で使用する。また、水酸化カリウムは、2,3,4,6-テトラ-O-ベンジル-p-(3−ヨードプロピル)-フェニル-β-D-グルコピラノシドに対して、１０倍から１０００倍で使用することができるが、好ましくは２０倍から２００倍で使用する。本アルキル化反応では、ジメチルホルムアミドあるいはテトラヒドロフラン中、水酸化ナトリウムあるいは水素化ナトリウムを用いる周知のウイリアムソンエーテル合成法が使えることは言うまでもない。
【実施例】
【００１０】
以下に実施例を挙げて本発明を具体的に説明するが、以下の実施例により何等の制限を受けるものではない。
[実施例１]
ヘプタキス-(2,3-ジ-O-ベンジル)-6B,6C,6E,6F,6G-ペンタ-O-ベンジル-β-シクロデキストリン（102.8mg/0.04mmol）と2,3,4,6-テトラ-O-ベンジル-p-(3−ヨードプロピル)-フェニル  β-Dグルコピラノシド（119.0mg/0.15mmol）をナスフラスコに入れて、ジメチルホルムアミド（6.0ml）を加え、更に、水酸化カリウム（247.0mg/4.40mmol）を加えて、塩化カルシウム管をつけて、室温で3日間攪拌した。酢酸エチルと塩を用いて有機層を抽出し、無水硫酸ナトリウムによって乾燥させた。薄層クロマトグラフィー（展開溶媒比ヘキサン：酢酸エチル＝3：2）によって精製を行い、ヘプタキス(2,3-ジ-O-ベンジル)-6A,6D-ジ-O-{2,3,4,6-テトラ-O-ベンジル-ｐ-(オキシプロピル)フェニル  β-Dグルコピラノシド}-6B,6C,6E,6F,6G-ペンタ-O-ベンジル-β-シクロデキストリン（60.2mg/0.01mmol）が収率48％、オイルで得られた。
MALDI-TOF MS; Found: m/z [M+Na+] 4216: Calcd for [M+Na+] 4212.
ヘプタキス(2,3-ジ-O-ベンジル)-6A,6D-ジ-O-{2,3,4,6-テトラ-O-ベンジル-ｐ-(オキシプロピル)フェニル  β-Dグルコピラノシド}-6B,6C,6E,6F,6G-ペンタ-O-ベンジル-β-シクロデキストリン（50.0mg/0.01mmol）を二股ナスフラスコに入れ、さらに水酸化パラジウム（69.1mg/0.43mmol）を加えてジエチルエーテル（2.0ml）−メタノール（1.0ml）混合溶媒中、室温で攪拌しながら水素発生機による水素添加を4時間行った。反応追跡はTLCによって行い、必要に応じてさらに溶媒を加えた。ひだ折れろ過によって水酸化パラジウムを取り除き、更にメンブランフィルターによってろ過し、凍結乾燥を行った。次にゲルろ過（Sephadex G-25，溶出溶媒；5％エタノール水溶液，流速；0.198ml/min）によって精製し、凍結乾燥を行った結果、6A,6D-ジ-O-{ｐ-(オキシプロピル)フェニル  β-Dグルコピラノシド}-β-シクロデキストリン[２]（16.7mg/9.49μmol）が収率80％、白色結晶で得られた。
MALDI-TOF MS; Found: m/z [M+Na+] 1781: Calcd for [M+Na+] 1781.
【００１１】
[実施例２]
[実施例１]で得られた二本鎖糖分岐シクロデキストリン誘導体[２] について、表面プラズモン共鳴装置を用いて、キューベット上に固定化したドキソルビシンに対する包接能を調べたところ、この二本鎖糖分岐シクロデキストリン誘導体のドキソルビシンに対する会合定数は次のようになった（表１）。（対比として、一本鎖糖分岐シクロデキストリン誘導体[３]（非特許文献４参照）、また、このようなスペサーを持たない糖分岐シクロデキストリン誘導体[４]（非特許文献３参照）の報告値も併せて記載した。）
2007063355.tif 000003
2007063355.tif 000004
2007063355.tif 000005
一本鎖糖分岐シクロデキストリン誘導体[３]では、このようなリンカーを持たない[４]と比べると、ドキソルビシンに対する会合定数は約１０2倍高く、さらに本発明の二本鎖糖分岐シクロデキストリン誘導体[２]に至っては、約１０5倍高くなることが明らかになり、優れた薬剤包接能を持つことが明らかになった。
【産業上の利用可能性】
【００１２】
標的医薬輸送システムの薬剤輸送キャリアとしてとして有用である。